(57)【要約】【課題】取り扱う映像信号の数が多くなっても回路規模の増大を抑えて、信号処理を施すことが可能な映像信号の入出力を行う信号切換装置を提供する。【解決手段】映像信号入力部１１１、１１２に入力された映像信号と、信号処理部１２、１３により信号処理が施された映像信号とを、信号処理部１２、１３及び出力処理部１５に供給する供給先の切換を行う切換処理部１７を備え、信号処理部１２、１３は、信号処理を施した複数の映像信号を多重化して切換処理部１７に出力する多重化回路１２１、１３１と、切換処理部１７を介して入力される多重化された映像信号から信号処理対象となる映像信号を選択して分離する選択回路１２２、１３２とを有し、映像信号出力部１５は、切換処理部１７を介して入力される多重化された映像信号から出力対象となる映像信号を選択して分離する選択回路１５１とを有する。【選択図】  図１
2009253386.tif 000002
【特許請求の範囲】
【請求項１】
複数の映像信号が入力される複数の映像信号入力部と、
上記映像信号に対して信号処理を施す信号処理部と、
上記映像信号を出力する映像信号出力部と、
各々の上記複数の映像信号入力部に入力された映像信号と、上記信号処理部により信号処理が施された映像信号とを、上記信号処理部及び上記映像信号出力部に供給する供給先の切換を行う切換部とを備え、
上記信号処理部は、信号処理を施した複数の映像信号を多重化して上記切換部に出力する多重化部と、該切換部を介して入力される多重化された映像信号から信号処理対象となる映像信号を選択して分離する選択部とを有し、
上記映像信号出力部は、上記切換部を介して入力される多重化された映像信号から出力対象となる映像信号を選択して分離する選択部を有する信号切換装置。
【請求項２】
上記切換部によって切り換えられる接続関係を制御する制御部を更に備え、
上記制御部は、上記切換部を介して、上記信号処理部と上記映像信号出力部との間で伝送される映像信号の数に応じて、該信号処理部が有する多重化部が、多重化して該切換部に出力する映像信号を選択するように、上記信号処理部を制御する請求項１記載の信号切換装置。
【請求項３】
上記映像信号出力部は、出力対象となる複数の映像信号を多重化して出力する多重化部を有する請求項１記載の信号切換装置。
【請求項４】
複数の映像信号入力部により、複数の映像信号を入力し、
信号処理部により、上記映像信号に対して信号処理を施し、
切換部により、各々の上記複数の映像信号入力部に入力された映像信号と、上記信号処理部により信号処理が施された映像信号とを、上記信号処理部及び映像信号出力部に供給する供給先の切換を行い、
上記信号処理部が有する多重化部により、信号処理を施した複数の映像信号を多重化して上記切換部に出力し、
上記信号処理部が有する選択部により、該切換部を介して入力される多重化された映像信号から信号処理対象となる映像信号を選択して分離し、
上記映像信号出力部が有する選択部により、上記切換部を介して入力される多重化された映像信号から出力対象となる映像信号を選択して分離して出力する信号切換装置の制御方法。
【発明の詳細な説明】
【技術分野】
【０００１】
本発明は、入力される複数の映像信号を切換部により切り換えて出力する信号切換装置、及び、この信号切換装置の制御方法に関する。
【背景技術】
【０００２】
放送局において番組の放送や収録などを行う場合には、スタジオ内や中継現場などに配置された多数のビデオカメラからの映像信号や、ＶＴＲで再生した映像信号などを、スイッチャーと呼ばれる信号切換装置に入力させ、どの入力信号をどの機器に出力するかをこのスイッチャーによって切り換えている。
【０００３】
このようなスイッチャーには、単に映像信号の入出力先を切り換えるルーティングスイッチャ（特許文献１）の他に、入力された映像信号に信号処理を施してから出力する処理機能を内蔵したものがある。
【０００４】
上述した信号処理機能を内蔵したスイッチャーには、ＳＭＰＴＥ（Society of Motion Picture and Television Engineers）規格のＳＤＩ信号（ＳＤ／ＨＤ／３Ｇ）を用いて、スイッチャー内外の映像信号のインターフェースを行うものがある。
【０００５】
このようなスイッチャーでは、取り扱う映像信号の数に応じて、信号を入出力するための入出力端子、入出力関係の切換を行うための接続点、スイッチャー内部のバス配線等が設計されている。具体的に、このようなスイッチャーの機器内部は、処理の都合によってＳＤＩ信号以外の信号フォーマットに変換されることもあるが、リアルタイムで処理を行わなければならないため、従来から複雑な信号変換が行われていなかった。
【０００６】
【特許文献１】特開２００７―１３５０７９号公報
【発明の開示】
【発明が解決しようとする課題】
【０００７】
上述したように、信号処理機能を内蔵した従来のスイッチャーでは、複雑な信号変換を行っていないため、取り扱う映像信号の数が多くなると、機器内外の配線が煩わしくなるのに起因して、機器の外形が大きくなり、コスト高となってしまった。
【０００８】
本発明は、このような実情に鑑みて提案されたものであり、取り扱う映像信号の数が多くなっても回路規模の増大を抑えて、信号処理を施すことが可能な映像信号の入出力を行う信号切換装置、及びこの信号切換装置の制御方法を提供することを目的とする。
【課題を解決するための手段】
【０００９】
上述した課題を解決するための手段として、本発明に係る信号切換装置は、複数の映像信号が入力される複数の映像信号入力部と、映像信号に対して信号処理を施す信号処理部と、映像信号を出力する映像信号出力部と、各々の複数の映像信号入力部に入力された映像信号と、信号処理部により信号処理が施された映像信号とを、信号処理部及び映像信号出力部に供給する供給先の切換を行う切換部とを備え、信号処理部は、信号処理を施した複数の映像信号を多重化して切換部に出力する多重化部と、切換部を介して入力される多重化された映像信号から信号処理対象となる映像信号を選択して分離する選択部とを有し、映像信号出力部は、切換部を介して入力される多重化された映像信号から出力対象となる映像信号を選択して分離する選択部を有する。
【００１０】
また、本発明に係る信号切換装置の制御方法は、複数の映像信号入力部により、複数の映像信号を入力し、信号処理部により、映像信号に対して信号処理を施し、切換部により、各々の複数の映像信号入力部に入力された映像信号と、信号処理部により信号処理が施された映像信号とを、信号処理部及び映像信号出力部に供給する供給先の切換を行い、信号処理部が有する多重化部により、信号処理を施した複数の映像信号を多重化して切換部に出力し、信号処理部が有する選択部により、切換部を介して入力される多重化された映像信号から信号処理対象となる映像信号を選択して分離し、映像信号出力部が有する選択部により、切換部を介して入力される多重化された映像信号から出力対象となる映像信号を選択して分離して出力する。
【発明の効果】
【００１１】
本発明は、信号処理部が有する多重化部により、信号処理を施した複数の映像信号を多重化して切換部に出力し、信号処理部が有する選択部により、切換部を介して入力される多重化された映像信号から信号処理対象となる映像信号を選択して分離し、映像信号出力部が有する選択部により、切換部を介して入力される多重化された映像信号から出力対象となる映像信号を選択して分離するので、取り扱う映像信号の数が多くなっても回路規模の増大を抑えて、信号処理を施すことが可能な映像信号の入出力を行うことができる。
【発明を実施するための最良の形態】
【００１２】
以下、本発明を実施するための最良の形態について、図面を参照しながら詳細に説明する。
【００１３】
本発明が適用された信号切換装置は、入力される複数の映像信号を切換手段により切り換えて出力する装置である。以下では、図１に示すようなスイッチャー１を用いて、本発明を実施するための形態について説明する。
【００１４】
スイッチャー１は、図１に示すように、２つの映像信号入力部１１１、１１２と、２つの信号処理部１２、１３と、外部機器インターフェース部１４と、出力処理部１５と、出力部１６と、切換処理部１７と、制御部１８とを備える。
【００１５】
映像信号入力部１１１、１１２は、それぞれ外部から映像信号が入力され、入力された映像信号をそれぞれ切換処理部１７に供給する。具体的に、スイッチャー１では、映像信号入力部１１１、１１２に、映像信号としてＳＤＩ（Serial Digital Interface）信号がそれぞれ入力され、入力したＳＤＩ信号をスイッチャー１内の各部で差動伝送するための機器内信号に変換して切換処理部１７に供給する。
【００１６】
信号処理部１２は、後述する切換処理部１７を介して入力される機器内信号に対して信号処理を施して切換処理部１７に再入力する処理を行う。
【００１７】
また、信号処理部１２は、信号処理済みの機器内信号を切換処理部１７に再入力する信号線１０１の本数を減らすため、次の処理部を有している。すなわち、信号処理部１２は、信号処理済みの多数の機器内信号を多重化する多重化回路１２１と、切換処理部１７を介して入力される多重化された機器内信号から信号処理対象となる機器内信号を選択する選択回路１２２とを備える。
【００１８】
多重化回路１２１は、信号処理部１２により複数の機器内信号に対応する映像を合成する合成処理など信号処理が施された信号処理済みの複数の機器内信号を、例えば次のように多重化して、多重化した機器内信号を信号線１０１を介して切換処理部１７に再入力する。
【００１９】
図２は、多重化回路１２１による多重化処理の具体例を示した図である。
【００２０】
多重化回路１２１は、図２（Ａ）に示すようなマッピング形式のＳＤＩ信号が変換された機器内信号に対して多重化処理を施すものとする。
【００２１】
ここで、図２（Ａ）に示されているマッピング形式のＳＤＩ信号では、画像を構成する各走査線の画像データ毎に、開始タイミングを示すデータＳＡＶと、終了タイミングを示すデータＥＡＶと、走査線の番号を示すデータＬＮと、誤り訂正を行うためのデータＣＲＣと、画像の輝度データと色差データとからなるＤａｔａとから構成されている。
【００２２】
多重化回路１２１は、図２（Ｂ）に示すような、４つのＳＤＩ信号Ｄａｔａ  ｓｔｒｅａｍ１〜４（ＤＳ１〜ＤＳ４）に対応する機器内信号を時分割で多重化することによって、図２（Ｃ）に示すような４つのＤａｔａ  ｓｔｒｅａｍ１〜４が多重化されたＳＤＩ信号に対応する機器内信号に変換する。
【００２３】
選択回路１２２は、切換処理部１７から供給される機器内信号が上述した多重化回路１２１等によって多重化されている場合、多重化された機器内信号から信号処理対象となる機器内信号を選択して分離する処理を行う。
【００２４】
以上のような構成を有する信号処理部１２では、多重化回路１２１が機器内信号を多重化することで、信号処理部１２と切換処理部１７とを接続する信号線１０１の本数を減らすことができる。さらに、これらの信号線１０１がそれぞれ後述する切換処理部１７の内部で接続される接続点の数も減らすことができる。
【００２５】
切換処理部１７から機器内信号を供給して信号処理を施す信号処理部１３は、信号処理部１２と同様に、機器内信号を多重化する多重化回路１３１と、多重化された機器内信号から、信号処理対象となる機器内信号を選択する選択回路１３２とを備える。
【００２６】
多重化回路１３１は、上述した多重化回路１２１と同様に、信号処理部１３により信号処理が施された信号処理済みの複数の機器内信号を多重化して、多重化した機器内信号を信号線１０２を介して切換処理部１７に再入力する。
【００２７】
選択回路１３２は、上述した選択回路１２２と同様に、切換処理部１７から供給される機器内信号が多重化されている場合、切換処理部１７から供給される多重化された機器内信号から信号処理対象となる機器内信号を選択して分離する処理を行う。
【００２８】
外部機器インターフェース部１４は、例えばスイッチャー１の外部に設けられているエフェクタ２との間で機器内信号の入出力を行うため、次のような構成を有している。
【００２９】
すなわち、外部機器インターフェース部１４は、機器内信号を多重化して信号線１０３を介して切換処理部１７に出力する多重化回路１４１と、切換処理部１７から供給される多重化された機器内信号から処理対象となる機器内信号を選択する選択回路１４２とを備える。また、外部機器インターフェース部１４は、エフェクタ２との間で機器内信号の入出力を行うため、多重化回路１４３と選択回路１４４とを備える。
【００３０】
多重化回路１４１は、エフェクタ２などによって信号処理が施された信号処理済みの複数の機器内信号を多重化して、多重化した機器内信号を信号線１０３を介して切換処理部１７に再入力する。
【００３１】
選択回路１４２は、切換処理部１７から供給される機器内信号が多重化されている場合、切換処理部１７から供給される多重化された機器内信号から信号処理対象となる機器内信号を選択して分離する処理を行う。
【００３２】
多重化回路１４３は、選択回路１４２によって選択された機器内信号から、さらにエフェクタ２へ出力対象となる機器内信号を選択して、選択した機器内信号を信号線１０４を介してエフェクタ２へ出力する。なお、エフェクタ２が多重化された機器内信号に対して処理を実行することができない場合、多重化回路１４３は、選択して分離した状態でも機器内信号自体は時分割されているので、機器内信号を時分割されていない基の機器内信号に戻してから、エフェクタ２へ信号線１０４を介して出力するようにしてもよい。
【００３３】
選択回路１４４は、エフェクタ２により信号処理が施され信号線１０４を介して供給される多重化された機器内信号から、信号処理対象となる機器内信号を選択して分離した後、多重化回路１４１に供給する。
【００３４】
出力処理部１５は、切換処理部１７を介して入力される機器内信号に対して具体的には次のような出力用の処理を施す。
【００３５】
具体的に、出力処理部１５は、例えば、出力用の処理として画像に対してセーフタイトルやスーパーインポーズなどにより文字情報を付加する編集処理を施す。また、出力処理部１５は、切換処理部１７から供給される多重化された機器内信号から処理対象となる機器内信号を選択する選択回路１５１を備える。また機器内信号を多重化して後段の出力部１６に出力する多重化回路１５２を備えてもよく、こうすることで、３Ｇ  ＳＤＩ  ＬＥＶＥＬ−Ｂ伝送に代表される多重化出力にも対応可能となる。
【００３６】
多重化回路１５２は、出力用の信号処理済みの複数の機器内信号を多重化して、多重化した機器内信号を後段の出力部１６に供給する。
【００３７】
選択回路１５１は、切換処理部１７から供給される機器内信号が多重化されている場合、切換処理部１７から供給される多重化された機器内信号から信号処理対象となる機器内信号を選択して分離する処理を行う。
【００３８】
出力部１６は、出力処理部１５によって処理済みの機器内信号をＳＤＩ信号に変換して外部へ出力する。
【００３９】
切換処理部１７は、映像信号入力部１１１、１１２、信号処理部１２、１３、及び外部機器インターフェース部１４からそれぞれ機器内信号が入力され、入力された各機器内信号を、信号処理部１２、１３、外部機器インターフェース部１４、及び、出力処理部１５に供給する供給先の切り換えを行う。
【００４０】
具体的に、切換処理部１７は、各処理部間の接点であるクロスポイントの接続を行う。ここで、切換処理部１７は、上述したように、信号処理部１２、１３、及び、外部機器インターフェース部１４から再入力される機器内信号の信号線１０１、１０２、１０３の本数を減らすことができるので、これらの信号線１０１、１０２、１０３が接続されるクロスポイントの数も減らすことができる。このことにより、切換処理部１７の内部構造を簡略化することができ、回路規模も削減することができる。
【００４１】
制御部１８は、切換処理部１７に接続された各処理部のうち、どの処理部をどの処理部に接続するかを制御する。また、制御部１８は、機器内信号の供給先に応じて、機器内信号に係る多重化処理を次のようにして制御する。
【００４２】
制御部１８は、供給先が同じ機器内信号をまとめて多重化することにより、信号線１０１、１０２、１０３、１０４の本数が最少になるように、各処理部の多重化回路１２１、１３１、１４１、１４３を制御する。
【００４３】
具体的に、以下に示すように、各処理部間で、供給先が異なる機器内信号が複数ある場合、制御部１８は、全ての機器内信号を多重化させることによって、信号線１０１、１０２、１０３、１０４の各本数を全て１本にする。
【００４４】
制御部１８は、信号処理部１２から切換処理部１７を介して信号処理部１３に機器内信号Ａ、Ｂを伝送し、信号処理部１２から切換処理部１７を介して外部機器インターフェース部１４に機器内信号Ａ、Ｂ、Ｃ、Ｄを伝送し、信号処理部１２から切換処理部１７を介して出力処理部１５に機器内信号Ａ、Ｂ、Ｃを出力する場合、次のような制御を行う。
【００４５】
すなわち、制御部１８は、機器内信号Ａ、Ｂ、Ｃ、Ｄを多重化させて、信号処理部１３、外部機器インターフェース部１４、及び、出力処理部１５にそれぞれ供給するように、信号処理部１２の多重化回路１２１を制御する。また、制御部１８は、機器内信号Ａ、Ｂ、Ｃ、Ｄが多重化された信号から、機器内信号Ａ、Ｂを選択して分離するように、信号処理部１３の選択回路１３２を制御する。また、制御部１８は、機器内信号Ａ、Ｂ、Ｃ、Ｄが多重化された信号から、機器内信号Ａ、Ｂ、Ｃ、Ｄを全て選択するように、外部機器インターフェース部１４の選択回路１４２を制御する。また、制御部１８は、機器内信号Ａ、Ｂ、Ｃ、Ｄが多重化された信号から、機器内信号Ａ、Ｂ、Ｃを選択して分離するように、出力処理部１５の選択回路１５１を制御する。
【００４６】
スイッチャー１では、制御部１８が、以上のようにして機器内信号を多重化させるように各処理部を制御することによって、信号線１０１、１０２、１０３、１０４の各本数を全て１本にすることができ、結果として、取り扱う映像信号の数が多くなっても回路規模の増大を抑えて、信号処理を施すことが可能な映像信号の入出力を行うことができる。
【００４７】
スイッチャー１において、取り扱う映像信号の数が多くなると、信号線１０１、１０２、１０３、１０４の各本数を１本に留めることができない場合がある。例えば、時分割多重処理によって信号を多重化させる場合、多重化される信号の数が多くなるほど各処理部の演算処理速度を速くしなければならないからである。
【００４８】
そこで、制御部１８では、図３及び図４に示す処理を行うことによって、多重化可能な信号の数が制限されていても、機器内信号の供給先に応じて、信号線１０１、１０２、１０３、１０４の各本数ができるだけ少なくするように、多重化処理を制御する。
【００４９】
以下では、スイッチャー１が有する多数の多重化回路のうち、具体例として、信号処理部１２が有する多重化回路１２１についての制御を説明する。
【００５０】
前提として、多重化回路１２１では、デバイスの演算性能に依存して、多重化可能な機器内信号の最大数がＭであるとする。また、ユーザによって、スイッチャー１内の信号経路が設定されているものとする。
【００５１】
ステップＳ１１において、制御部１８は、次のようにして定義されるＥ〜Ｋを求めて、ステップＳ１２に進む。
【００５２】
ここで、Ｅは、信号処理部１２（以下、ＰＲＯＣ−１という。）から信号処理部１３（以下、ＰＲＯＣ−２という。）に伝送する機器内信号の数である。Ｆは、ＰＲＯＣ−１から外部機器インターフェース部１４（以下、ＤＩＦという。）に伝送する機器内信号の数である。Ｇは、ＰＲＯＣ−１から出力処理部１５（以下、ＯＵＴという。）に伝送する機器内信号の数である。Ｈは、ＰＲＯＣ−１から、ＰＲＯＣ−２またはＤＩＦに伝送する機器内信号の数である。Ｉは、ＰＲＯＣ−１から、ＤＩＦまたはＯＵＴに伝送する機器内信号の数である。Ｊは、ＰＲＯＣ−１から、ＯＵＴまたはＰＲＯＣ−２に伝送する機器内信号の数である。Ｋは、ＰＲＯＣ−１から、ＰＲＯＣ−２またはＤＩＦまたはＯＵＴに伝送する機器内信号の数である。
【００５３】
なお、Ｈ〜Ｋの値は、例えばＰＲＯＣ−１からＰＲＯＣ−２とＤＩＦに同じ機器内信号を伝送するような重複する信号があった場合、この重複した信号を１として加算するようにする。
【００５４】
ステップＳ１２において、制御部１８は、Ｋの値がＭ以下であるか否かを判断し、Ｋの値がＭ以下であるときステップＳ１３に進み、Ｋの値がＭ以下でないときステップＳ１４に進む。
【００５５】
ステップＳ１３において、制御部１８は、多重化信号１本をＰＲＯＣ−１から、ＰＲＯＣ−２、ＤＩＦ、ＯＵＴにそれぞれ接続するように各処理部を制御して本処理工程を終了する。
【００５６】
ステップＳ１４において、Ｈの値がＭ以下であるか否かを判断し、Ｈの値がＭ以下であるときステップＳ１５に進み、Ｈの値がＭ以下ではないときステップＳ１９に進む。
【００５７】
ステップＳ１５において、多重化信号１本をＰＲＯＣ−１から、ＰＲＯＣ−２、ＤＩＦにそれぞれ接続するように各処理部を制御して、ステップＳ１６に進む。
【００５８】
ステップＳ１６において、制御部１８は、Ｇの値がＭ以下であるか否かを判断し、Ｇの値がＭ以下であるときステップＳ１７に進み、Ｋの値がＭ以下でないときステップＳ１８に進む。
【００５９】
ステップＳ１７において、制御部１８は、多重化信号１本をＰＲＯＣ−１からＯＵＴに接続するように各処理部を制御して、本処理工程を終了する。
【００６０】
ステップＳ１８において、制御部１８は、Ｇ×ＮがＭ以上となる最少のＮ本の信号線を、ＰＲＯＣ−１からＯＵＴに接続するように各処理部を制御して、本処理工程を終了する。
【００６１】
ステップＳ１９において、制御部１８は、Ｉの値がＭ以下であるか否かを判断し、Ｉの値がＭ以下であるときステップＳ２０に進み、Ｉの値がＭ以下ではないときステップＳ２４に進む。
【００６２】
ステップＳ２０において、制御部１８は、多重化信号１本をＰＲＯＣ−１からＤＩＦ、ＯＵＴに接続するように各処理部を制御して、ステップＳ２１に進む。
【００６３】
ステップＳ２１において、制御部１８は、Ｅの値がＭ以下であるか否かを判断し、Ｅの値がＭ以下であるときステップＳ２２に進み、Ｅの値がＭ以下でないときステップＳ２３に進む。
【００６４】
ステップＳ２２において、制御部１８は、多重化信号１本を、ＰＲＯＣ−１からＰＲＯＣ−２に接続するように各処理部を制御して、本処理工程を終了する。
【００６５】
ステップＳ２３において、制御部１８は、Ｅ×ＮがＭ以上となる最少のＮ本の信号線をＰＲＯＣ−１からＰＲＯＣ−２に接続するように制御して、本処理工程を終了する。
【００６６】
ステップＳ２４において、制御部１８は、Ｊの値がＭ以下であるか否かを判断し、Ｊの値がＭ以下であるときステップＳ２５に進み、Ｊの値がＭ以下ではないときステップＳ２９に進む。
【００６７】
ステップＳ２５において、制御部１８は、多重化信号１本を、ＰＲＯＣ−１からＰＲＯＣ−２、ＯＵＴに接続するように各処理部を制御して、ステップＳ２６に進む。
【００６８】
ステップＳ２６において、制御部１８は、Ｆの値がＭ以下であるか否かを判断し、Ｆの値がＭ以下であるときステップＳ２７に進み、Ｆの値がＭ以下ではないときステップＳ２８に進む。
【００６９】
ステップＳ２７において、制御部１８は、多重化信号１本をＰＲＯＣ−１からＯＵＴに接続するように各処理部を制御して、本処理工程を終了する。
【００７０】
ステップＳ２８において、制御部１８は、Ｆ×ＮがＭ以上となる最少のＮ本の信号線をＰＲＯＣ−１からＤＩＦに接続するように各処理部を制御して、本処理工程を終了する。
【００７１】
ステップＳ２９において、制御部１８は、Ｅの値がＭ以下であるか否かを判断し、Ｅの値がＭ以下であるときステップＳ３０に進み、Ｅの値がＭ以下でないときステップＳ３１に進む。
【００７２】
ステップＳ３０において、制御部１８は、多重化信号１本をＰＲＯＣ−１からＰＲＯＣ−２に接続するように各処理部を制御して、ステップＳ３２に進む。
【００７３】
ステップＳ３１において、制御部１８は、Ｅ×ＮがＭ以上となる最少のＮ本の信号線を、ＰＲＯＣ−１からＰＲＯＣ−２に接続するように各処理部を制御して、ステップＳ３２に進む。
【００７４】
ステップＳ３２において、制御部１８は、Ｆの値がＭ以下であるか否かを判断し、Ｆの値がＭ以下であるときステップＳ３３に進み、Ｆの値がＭ以下でないときステップＳ３４に進む。
【００７５】
ステップＳ３３において、制御部１８は、多重化信号１本をＰＲＯＣ−１からＤＩＦに接続するように各処理部を制御して、ステップＳ３５に進む。
【００７６】
ステップＳ３４において、制御部１８は、Ｆ×ＮがＭ以上となる最少のＮ本の信号線を、ＰＲＯＣ−１からＤＩＦに接続するように各処理部を制御して、ステップＳ３５に進む。
【００７７】
ステップＳ３５において、Ｇの値がＭ以下であるか否かを判断し、Ｇの値がＭ以下であるときステップＳ３６に進み、Ｇの値がＭ以下でないときステップＳ３７に進む。
【００７８】
ステップＳ３６において、制御部１８は、多重化信号１本をＰＲＯＣ−１からＯＵＴに接続するように各処理部を制御して本処理工程を終了する。
【００７９】
ステップＳ３７において、制御部１８は、Ｇ×ＮがＭ以上となる最少のＮ本の信号線を、ＰＲＯＣ−１からＯＵＴに接続するように各処理部を制御して本処理工程を終了する。
【００８０】
以上のようにして、制御部１８は、多重化が可能な信号の数が、多重化回路１２１の処理能力に起因して制限されていても、ユーザが設定した信号経路に対して、信号線の各本数ができるだけ少なくするように、各処理部の接続関係を設定することができる。
【００８１】
このようして、スイッチャー１では、取り扱う映像信号の数が多くなり、多重化処理の処理能力に制限があっても、回路規模の増大をできるだけ抑えて、信号処理を施すことが可能な映像信号の入出力を行うことができる。
【００８２】
なお、以上の処理工程では、ＰＲＯＣ−１が有する多重化回路の多重化可能な機器内信号の数について説明したが、ＰＲＯＣ−２、ＤＩＦがそれぞれ有する多重化回路についても制御変数であるＭを設定して同様の処理を行うようにすればよい。
【図面の簡単な説明】
【００８３】
【図１】本発明が適用された信号切換装置であるスイッチャーの構成を示すブロック図である。
【図２】多重化回路に係る具体的な処理工程を説明するための図である。
【図３】多重化可能な信号の数が制限されているとき、信号線の本数をできるだけ少なくするように、多重化処理を制御する処理工程を説明するためのフローチャートである。
【図４】多重化可能な信号の数が制限されているとき、信号線の本数をできるだけ少なくするように、多重化処理を制御する処理工程を説明するためのフローチャートである。
【符号の説明】
【００８４】
１  スイッチャー、２  エフェクタ、１２、１３  信号処理部、１４  外部機器インターフェース部、１５  出力処理部、１６  出力部、１７  切換処理部、１８  制御部、１０１、１０２、１０３、１０４  信号線、１１１、１１２  映像信号入力部、１２１、１３１、１４１、１４３、１５２  多重化回路、１２２、１３２、１４２、１４３、１５１  選択回路
【図１】
2009253386.tif 000003
【図２】
2009253386.tif 000004
【図３】
2009253386.tif 000005
【図４】
2009253386.tif 000006